【事件の表示】
　特許第２９７４６０８号「フェンス一体型の防護柵」の請求項１に係る特許に対する特許異議の申立てについて、次のとおり決定する。
【結　論】
　訂正を認める。
　特許第２９７４６０８号の請求項１に係る特許を維持する。
【理　由】
第１．手続きの経緯
　特許第２９７４６０８号の請求項１に係る発明は、平成８年４月９日に特許出願（優先権主張、平成７年６月２７日）され、平成１１年９月３日にその特許権の設定登録がなされ、その後、平成１２年５月９日に特許異議申立人井上知久よりその請求項１に係る発明の特許に対して特許異議の申立がなされ、平成１２年８月８日付けで取消理由通知がなされ、その指定期間内である平成１２年１０月１６日付けで特許異議意見書とともに訂正請求書が提出された。
第２．訂正の適否についての判断
１．訂正の内容
　上記訂正請求書の訂正の内容は、次のとおりである。
（１）訂正事項ａ
　特許請求の範囲を次のように訂正する。
「【請求項１】防護柵の支柱がその防護柵の高さより突出して設けられ、その支柱に外周にフェンス枠が取付けられたフェンスパネルが取付けられ、防護柵の背面及び上部に投物防止用等のフェンスが形成されたフェンス一体型の防護柵であって、正面フランジと背面とを備えるとともにその下部において正面フランジと背面フランジとの間に中間フランジが形成された防護柵とフェンスとに兼用する水平断面Ｈ型の支柱が適宜間隔をおいて設けられ、該支柱の上部の正面フランジと背面フランジとの間および下部の背面フランジと中間フランジとの間のフランジ内壁間に前記フェンス枠が挿入され取付けられ、支柱の正面フランジの下部には防護柵を取付けるためのボルト孔が穿設されたことを特徴とするフェンス一体型の防護柵。」
（２）訂正事項ｂ
　明細書の段落番号【０００７】を次のとおり訂正する。
「また、フェンスを設置するときに支柱の上部の正面フランジと背面フランジとの間および下部の背面フランジと中間フランジとの間のフランジ内壁間にフェンス外周のフェンス枠を挿入して仮設置し、バネ等で固定するだけでフェンスの施工ができるので更に施工性が向上する。」
（３）訂正事項ｃ
　明細書の段落番号【００１４】を次の通り訂正する。
「また、本発明フェンス一体型の防護柵はフェンスパネルの外周にフェンス枠が取付けられそのフェンス枠の厚みに対応した間隔に正面フランジと背面フランジとを備えるとともにその下部において正面フランジと背面フランジとの間に中間フランジが形成された防護柵とフェンスとに兼用する水平断面Ｈ型の支柱の上部の正面フランジと背面フランジとの間および下部の背面フランジと中間フランジとの間のフランジの内壁間に前記フェンス枠を挿入し取付けられたものであり、投物防止フェンス等のフェンスを設置するときに支柱のフランジ間にフェンスパネル外周のフェンス枠を挿入して仮設置し、バネ等で固定するだけでフェンスの施工ができるので更に施工性が向上する。」
２．訂正の目的の適否、新規事項の有無及び拡張・変更の存否
　上記訂正事項ａは、発明を特定する事項である「水平断面Ｈ型の支柱」の構成を「正面フランジと背面フランジとを備えるとともにその下部において正面フランジと背面フランジとの間に中間フランジが形成された防護柵とフェンスとに兼用する水平断面型の支柱」と限定し、フェンス枠の支柱への取付けについて「支柱のフランジ内壁間に前記フェンス枠が挿入され取付けられ」としていたものを「支柱の上部の正面フランジと背面フランジとの間および下部の背面フランジと中間フランジとの間のフランジ内壁間に前記フェンス枠が挿入され取付けられ」と限定するものであって、特許請求の範囲の減縮を目的とするものと認められる。
　なお、請求人は、訂正事項ａに関して、訂正請求書において訂正の目的として、特許請求の範囲の明瞭でない記載の釈明を目的とした旨記載しているが、訂正事項ａは、水平断面Ｈ型の支柱の構造を限定する訂正であることから、特許請求の範囲の減縮を目的とするものと解される。
　そして、この訂正に関して、願書に添付された明細書の段落番号【０００９】には、「本実施例では支柱１は鋼板を溶接で接合して作製されておりその上部断面形状は水平視Ｈ型でその正面フランジ１１を正面に向け、背面フランジ１２を背面に向けて設置されるが、その下部断面は前記正面フランジ１１と背面フランジ１２の間に中間フランジ１３が形成されている」と記載され、また、同じく段落番号【００１１】には、「フェンス６は支柱１間の正面フランジ１１と背面フランジ１２の間に上部より挿入され、フェンス枠６２と該背面フランジ１２の間に圧入されたバネ７の反発弾性力でフェンス枠６２の上部は該正面フランジ１１に圧着され、下部は前記中間フランジ１３に圧着され、支柱１に固定されている。」と記載されており、さらに、図２には図番１３で「中間フランジ」が示されていることから、上記訂正事項ａの訂正は、願書に添付した明細書又は図面に記載した事項の範囲内においてなされたものであり、さらに、実質的に特許請求の範囲を拡張し、又は変更するものとも認められない。
　次に、訂正事項ｂ及びｃは、特許請求の範囲を訂正事項ａのように訂正したことによって生じる明細書の記載の不都合を解消するための訂正であるから、明りょうでない記載の釈明を目的とするものと認められ、願書に添付した明細書又は図面に記載した事項の範囲内においてなされたものであり、実質上特許請求の範囲を拡張し、又は変更するものとも認められない。
３．以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び同条第２項の規定に適合するので、当該訂正を認める。
第３．特許異議の申立てについて
１．特許異議申立人は、本件特許の出願前に頒布された刊行物である甲第１号証ないし甲第３号証を提出して、本件特許の特許請求の範囲の請求項１に係る発明は、特許法第２９条第２項に該当し特許を受けることができない旨申立てているが、上記の第１に記載したように、特許異議申立人の申立てに係る請求項１に係る発明については適法に訂正がなされたので、以下、訂正された請求項１に係る発明（以下、本件訂正発明という。）について検討する。
２．刊行物及びその記載事項
　上記取消理由にて引用した刊行物（下記の刊行物１ないし３、このうち、刊行物１は特許異議申立人の提出した甲第１号証と同じ。）及び特許異議申立人が証拠として提示した刊行物（甲第２号証ないし甲第３号証）には、以下の事項が記載されている。
（１）刊行物１：実願昭５４−９２５６８号（実開昭５６−１３１１５号）のマイクロフィルム（異議申立人が提出した甲第１号証）
　刊行物１には、明細書の実用新案登録請求の範囲の欄、第２頁第３行〜第３頁第６行、及び第４頁第１行〜５行の記載、並びに第２図の記載からみて、次の発明が記載されているものと認められる。
「ガードレールの束柱５の背面上端部に支柱６が固定され、その支柱６に金網１５を張った安全柵が取付けられ、ガードレールの上部に安全柵が形成された安全柵一体型の防護柵であって、水平断面略Ｈ字状の束柱が適宜間隔をおいて設けられ、該束柱の背面上端部に設けられた支柱に前記安全柵が取付けられ、束柱の正面フランジにガードレールとしてのパイプを取付けたことを特徴とする安全柵一体型の防護柵。」
（２）刊行物２：実願昭５３−１４０３６３号（実開昭５５−５９７０５号）のマイクロフィルム
　刊行物２には、明細書の実用新案登録請求の範囲の欄の記載からみて、次の発明が記載されているものと認められる。
「支柱（４）にガードレール本体（２）またはガードケーブル本体（３）をボルト締着してなる車両防護柵（１）の裏側に、波板からなる遮蔽板（５）を波の方向を縦方向にして地表面から所要高さにわたり、かつ横方向に連続して配置し、前記支柱（４）にボルト締着するか、または支柱（４）にボルト締着した遮蔽板取付柱（６）にボルト締着してなる泥はね防止柵。」
（３）刊行物３：実願平３−１９０６８号（実開平４−１１４９５０号）のマイクロフィルム
　刊行物３には、明細書の段落【０００７】の記載、及び第１〜４図の記載からみて、次の発明が記載されているものと認められる。
「水平断面Ｈ型のパネル取付支柱１が適宜間隔をおいて設けられ、該支柱１のフランジ内壁間にパネル本体３の外周に枠２が取付けられたパネルＰが挿入され取付けらたことを特徴とする高速道路の側辺に立設してある塀。」
（４）刊行物４：実公昭６３−３８２６５号公報（異議申立人が提出した甲第２号証）　
（５）刊行物５：意匠登録第５５０８４９号の類似第４公報（異議申立人が提出した甲第３号証）
　刊行物４あるいは５には、明細書や図面の記載からみて、「水平断面Ｈ型の高欄支柱の正面フランジに防護柵を取付けるためのボルト孔が穿設された」構成が記載されていると認められる。
３．対比・判断
（１）本件訂正発明と、刊行物１に記載の発明とを対比すると、刊行物１に記載の発明の「束柱及びその背面上端部に固定された支柱６」、「安全柵」、「略Ｈ字状」及び「ガードレールとしてのパイプ及び束柱」は、本件訂正発明の「支柱」、「投物防止用等のフェンス」、「Ｈ型」及び「防護柵」にそれぞれ対応するから、両者は、
「防護柵の支柱がその防護柵の高さより突出して設けられ適宜間隔をおいて設けられ、その支柱にフェンスが取付けられ、防護柵の上部にフェンスが形成されたフェンス一体型の防護柵」である点で一致し、以下の点で相違している。
〈相違点１〉
　本件訂正発明が、「防護柵の背面及び上部に投物防止用等のフェンスが形成されている」のに対し、刊行物１に記載の発明は、防護柵の背面上端部にのみ安全柵（フェンス）が取付けられている点。
〈相違点２〉
　本件訂正発明が、「外周にフェンス枠が取付けられたフェンスパネル」が、水平断面Ｈ型の支柱の「フランジ内壁間に前記フェンス枠が挿入され取付けられ」ているのに対し、刊行物１に記載の発明は、本件訂正発明の支柱に相当する部分のうち束柱のみが水平断面Ｈ型であり、また、支柱には金網を張った安全柵が取り付けられているものの、パネルが挿入され取付けられているのではない点。
〈相違点３〉
　本件訂正発明が、「支柱の正面フランジの下部には防護柵を取付けるためのボルト孔が穿設され」ているのに対し、刊行物１に記載の発明は、束柱の正面フランジにガイドレールとしてのパイプを取付けているが、正面フランジにパイプを取付けるためのボルト孔が穿設されているのかどうか不明な点。
〈相違点４〉
　本件訂正発明が、水平断面Ｈ型の支柱の下部において「正面フランジと背面フランジとの間に中間フランジが形成」され、フェンス枠が支柱の上部では「正面フランジと背面フランジとの間」に挿入され、下部では「背面フランジと中間フランジとの間のフランジ内壁間」に挿入されて取付けられているのに対し、刊行物１記載の発明は係る構成を有しない点。
（２）上記相違点について検討する。
　相違点１について
　刊行物２には、ガードレール本体（本件訂正発明の「防護柵」に相当する。）の背面及び上部に遮蔽板（同「フェンス」に相当する。）を形成することが記載されており、刊行物１に記載の発明と刊行物２に記載の発明とは、防護柵という共通の技術分野に属するものであるから、刊行物１記載の発明の構成に刊行物２に記載の発明の構成を適用して、本件訂正発明の相違点１に係る構成とすることは、当業者であれば容易に想到しうることである。
　相違点２について
　刊行物３には、水平断面Ｈ型のパネル取付支柱１（本件訂正発明の「支柱」に相当する。）が適宜間隔をおいて設けられ、該支柱１のフランジ内壁間にパネル本体３の外周に枠２（同「フェンス枠」に相当する。）が取付けられたパネルＰ（同「フェンスパネル」に相当する。）が挿入され、高速道路の側辺に立設してある塀（同「フェンス」に相当する。）が記載されており、刊行物１に記載の発明と刊行物３に記載の発明とは、橋梁、高速道路等に設けるフェンス等という共通の技術分野に属するものであり、又刊行物１に記載の発明も、支柱の下部（束柱）は水平断面Ｈ型であるから、刊行物１記載の発明の構成に刊行物３に記載の発明の構成を適用して、本件訂正発明の相違点２に係る構成とすることは、当業者であれば容易に想到しうることである。
　相違点３について
　防護柵において、支柱の正面フランジにガードレールのパイプ等（防護柵）を取付けるためのボルト孔を穿設することは、従来から周知の技術手段（例えば、実公昭６３−３８２６５号公報（甲第２号証）を参照。）であるから、刊行物１記載の発明の構成に上記周知の技術手段を適用して、本件訂正発明の相違点３に係る構成とすることは、当業者であれば容易に想到しうることである。
　相違点４について
　刊行物３には、水平断面Ｈ型のパネル取付支柱のフランジ内壁間にパネルが挿入され取付けられた点は記載されているものの、相違点４に係る構成である、支柱の下部において「正面フランジと背面フランジとの間に中間フランジが形成」され、フェンス枠が支柱の下部では「背面フランジと中間フランジとの間のフランジ内壁間」に挿入され取付けられた点については記載されておらず、この点については、上記２（１）〜（５）の何れの刊行物にも記載されていない。そして、この構成により本件訂正発明は、明細書の段落番号【００１３】に記載されているように「防護柵と投物防止フェンスなどのフェンスを併設するときにその支柱が前記防護柵と投物防止フェンスに兼用」することと合わせて「支柱は橋梁用防護柵に必要な断面能力を持ったもの」とすることができるという作用効果、すなわち、特許異議意見書第３頁第１４行〜第２０行に記載されているような「防護柵に必要な断面能力を持たせるように支柱下部の正面フランジを前方に膨出させる等することができ、そしてかように正面フランジを膨出させても、支柱下部に取付けられたフェンスは、「背面フランジと中間フランジとの間に取付けられている」ので、ガタつくことなく支柱に取り付けられる等、防護柵としての強度を確保しつつフェンスをガタつくことなく支柱に取り付けることができる」といった作用効果を奏するものである。
　したがって、本件訂正発明は、上記刊行物２（１）〜（５）に記載のものから当業者が容易に発明することができたものではなく、特許法第２９条第２項の規定に該当しない。
４．むすび
　以上のとおりであるから、本件訂正発明に係る特許を取り消すことはできない。
　また、他に本件訂正発明に係る特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１２月２０日（２０００．１２．２０）
【訂正の要旨】
訂正の要旨
（１）訂正事項ａ
特許請求の範囲を次のように訂正する。
「【請求項１】防護柵の支柱がその防護柵の高さより突出して設けられ、その支柱に外周にフェンス枠が取付けられたフェンスパネルが取付けられ、防護柵の背面及び上部に投物防止用等のフェンスが形成されたフェンス一体型の防護柵であって、正面フランジと背面とを備えるとともにその下部において正面フランジと背面フランジとの間に中間フランジが形成された防護柵とフェンスとに兼用する水平断面Ｈ型の支柱が適宜間隔をおいて設けられ、該支柱の上部の正面フランジと背面フランジとの間および下部の背面フランジと中間フランジとの間のフランジ内壁間に前記フェンス枠が挿入され取付けられ、支柱の正面フランジの下部には防護柵を取付けるためのボルト孔が穿設されたことを特徴とするフェンス一体型の防護柵。」
（２）訂正事項ｂ
　明細書の段落番号【０００７】を次のとおり訂正する。
「また、フェンスを設置するときに支柱の上部の正面フランジと背面フランジとの間および下部の背面フランジと中間フランジとの間のフランジ内壁間にフェンス外周のフェンス枠を挿入して仮設置し、バネ等で固定するだけでフェンスの施工ができるので更に施工性が向上する。」
（３）訂正事項ｃ
　明細書の段落番号【００１４】を次の通り訂正する。
「また、本発明フェンス一体型の防護柵はフェンスパネルの外周にフェンス枠が取付けられそのフェンス枠の厚みに対応した間隔に正面フランジと背面フランジとを備えるとともにその下部において正面フランジと背面フランジとの間に中間フランジが形成された防護柵とフェンスとに兼用する水平断面Ｈ型の支柱の上部の正面フランジと背面フランジとの間および下部の背面フランジと中間フランジとの間のフランジの内壁間に前記フェンス枠を挿入し取付けられたものであり、投物防止フェンス等のフェンスを設置するときに支柱のフランジ間にフェンスパネル外周のフェンス枠を挿入して仮設置し、バネ等で固定するだけでフェンスの施工ができるので更に施工性が向上する。」
（５４）【発明の名称】
フェンス一体型の防護柵
（５７）【特許請求の範囲】
　【請求項１】　防護柵の支柱がその防護柵の高さより突出して設けられ、その支柱に外周にフェンス枠が取付けられたフェンスパネルが取付けられ、防護柵の背面及び上部に投物防止用等のフェンスが形成されたフェンス一体型の防護柵であって、
正面フランジと背面フランジとを備えるとともにその下部において正面フランジと背面フランジとの間に中間フランジが形成された防護柵とフェンスとに兼用する
上部の正面フランジと背面フランジとの間および下部の背面フランジと中間フランジとの間の
【発明の詳細な説明】
　【０００１】
　【産業上の利用分野】
　本発明は、高欄等の防護柵と投物防止フェンス、落下物防止柵、防風柵、防雪柵、目隠し柵等のフェンスを一体にした柵に関する。
　【０００２】
　【従来の技術】
　従来、橋梁用防護柵とフェンスを同一場所に設置するときは橋梁用防護柵の支柱の背面にフェンス支柱を付設するか、橋梁用防護柵とは別に地覆側面に単独で投物防止フェンスを設置したものが知られていた。
　【０００３】
　例えば、実開昭５９−１８８５１３公報には高欄用支柱の背面にブラケットを形成しこのブラケットにフェンス支柱を付設しこのフェンス支柱下方部に遮蔽板を、上方部にフェンスを張設してなる高欄が提案されている。
　【０００４】
　橋梁用防護柵とは別に地覆側面に単独で投物防止フェンスを設置した例について図面を参照して説明すると、図４において、１１０は支柱であり、地覆２の上面に埋設されたアンカーボルト１３０によって該地覆２上に底部フランジ１１３を螺着され立設されている。支柱１１０の正面には上部水平ビーム１５１や下部水平ビーム１５２や手摺１４０が取付けられ橋梁用防護柵１００となされている。フェンス用支柱２１０は地覆の側面に埋設されたアンカーボルト２３０によって金具２１３を介して地覆２の側面に付設される。フェンスパネル２６１の外周にはフェンス枠２６２が取付けられており、該フェンス枠２６２を該フェンス用支柱２１０に取付けてフェンス２００となされている。
　【０００５】
　【発明が解決しようとする課題】
　しかしながら上記の如く高欄用支柱の背面にフェンスの支柱を付設するか、橋梁用防護柵とは別に地覆側面に単独で投物防止フェンスを設置したものでは橋梁用防護柵の支柱とフェンスの支柱が別々であった為部材点数が増え部材コストが高くつき、互いの部材の嵌合について配慮せねばならなかったので設計作業も煩雑であった。又、施工も橋梁用防護柵の裏側にフェンスを設置するには一般にスペースがきわめて狭く作業がしにくかった。更に、橋梁用防護柵とフェンスが別々である為意匠性、景観性にも欠けるという問題があった。
　【０００６】
　【課題を解決するための手段】
　本発明によれば、防護柵の支柱がその防護柵の高さより突出して設置されてその支柱にフェンスパネルが取付けられ、防護柵上部及び背部に投物防止用等のフェンスが形成されたものであり、フェンスと防護柵が一体となっている為部材点数も少なく、部材コストも安くつき、施工も容易で、意匠性、景観性にも優れたものとなる。
　【０００７】
　また、フェンスを設置するときに支柱の
上部の正面フランジと背面フランジとの間および下部の背面フランジと中間フランジとの間の
　【０００８】
　【発明の実施の形態】
　実施の形態について図面を参照して説明すると、図１において、１は支柱であり、橋梁の地覆２上に水平視概ね一直線上に立設されている。支柱１の正面下部には上部水平ビーム５１や下部水平ビーム５２や手摺４が連続して取付けられ防護柵となされている。フェンスパネル６１の外周にはフェンス枠６２が取付けられており、防護柵の背面から上部にかけて支柱１の側面間に取付けられ、フェンス６となされ、支柱１に防護柵パネル５とフェンス６の２種類の柵が設置されている。防護柵は高欄として用いられる時、歩行者及び自転車の橋梁外への転落を防止するため、その側面に直角に２５０ｋｇ／ｍの推力が頂部に働くものとして設計されねばならず、支柱１や防護柵パネル５に大きな断面の構造材が使用される。
　【０００９】
　図２及び図３について説明すると、１は支柱でありその垂直断面は概ね逆Ｔ型でその底部フランジ１５に穿設されたボルト孔に橋梁の地覆２に埋設されたアンカーボルト３のネジ部をとうしナットで固定されている。本実施例では支柱１は鋼板を溶接で接合し作製されておりその上部断面形状は水平視Ｈ型でその正面フランジ１１を正面に向け、背面フランジ１２を背面に向けて設置されるが、その下部断面は前記正面フランジ１１と背面フランジ１２の間に中間フランジ１３が形成されている。支柱１の正面フランジ１１の下部には手摺４及び橋梁用防護柵パネル５の上側水平ビーム５１、下側水平ビーム５２を取付けるためのビーム取付部１４が形成されている。このビーム取付部１４は手摺４や橋梁用防護柵パネル５の上側水平ビーム５１、下側水平ビーム５２の断面形状に対応した凹型に形成され凹部となされておりボルト孔が穿設されている。手摺４及び橋梁用防護柵パネル５の上側水平ビーム５１、下側水平ビーム５２は前記のビーム取付部１４の凹部にはめ込まれ前記ボルト孔をとうしてボルトで固定される。支柱１は前記したように通常は鋼板を溶接で接合し作製されるが、アルミ合金やその他の金属を鋳造や、鍛造して作製されてもよい。又、その表面は塗装や鍍金等の適宜表面処理が施される。
　【００１０】
　橋梁用防護柵パネル５は本実施例では鋼管製の上側水平ビーム５１と下側水平ビーム５２の間に帯鋼製の垂直ビーム５３を架設し橋梁用防護柵パネル５となされており、上側水平ビーム５１と下側水平ビーム５２の両端近傍には支柱１との取付けに使われるボルト孔が穿設されており、前記のとうり支柱１に取付けられて橋梁用防護柵となされるが他の金属管や金属型材で作られても良いし、複数の水平ビームのみで橋梁用防護柵パネル５となされてもよい。
　【００１１】
　フェンス６は支柱１間の正面フランジ１１と背面フランジ１２の間に上部より挿入され、フェンス枠６２と該背面フランジ１２の間に圧入されたバネ７の反発弾性力でフェンス枠６２の上部は該正面フランジ１１に圧着され、下部は前記中間フランジ１３に圧着され、支柱１に固定されている。又、フェンス枠６２の下部にはアングルを付けスペースを設け前記支柱１の底部フランジ１５をアンカーボルト３で固定するときの作業を容易にしている。バネ７は通常鋼製板片から製作された板バネが用いられるが、不銹鋼等適宜材料によって製作されたものを用いてもよい。本実施例ではフェンスパネル６１の取付はバネ７の反発弾性力によるフェンス枠６２と支柱に形成された背面フランジ１２と正面フランジ１１及び中間フランジ１３の圧着によったが、該支柱１に形成された背面フランジ１２と正面フランジ１１及び中間フランジ１３にボルト孔を穿設し、ボルト、ナットで固定されてもよい。
　【００１２】
　本実施例ではフェンス６は投物防止用となされるので金網や溶接金網をフェンスパネル６１となし、その外周に金属型材製のフェンス枠６２が取付けられフェンス６となされているが、フェンスパネル６１はエキスパンドメタルやパンチングメタル等の開口部を有した金属板でもよいし、鋼板やアルミ合金板、ステンレス板等の金属板やポリカーボネート板やＦＲＰ板等の合成樹脂板でもよい。又、その表面には意匠性と防錆に配慮された塗装や鍍金等の表面処理が適宜なされる。又、フェンス６は施工性に配慮して上下に２〜３個に分割して設置される方が好ましい。
　【００１３】
　【発明の効果】
　本発明フェンス一体型の防護柵は防護柵の支柱がその防護柵の高さより突出して設置されてその支柱にフェンスパネルが取付けられ、防護柵上部及び背部に投物防止用等のフェンスが形成されたものであり、防護柵と投物防止フェンスなどのフェンスを併設するときにその支柱が前記防護柵と投物防止フェンス等のフェンスに兼用でき支柱本数を少なく設置できるため、地覆上にスマートに治まり意匠性に優れたものとなる。又、部材点数が少なくなることと、施工作業が橋梁内から可能となるため施工性が大幅に向上する。更に、部材点数が少なくなる為部材コストが安くなる。又、支柱は橋梁用防護柵に必要な断面能力を持ったものを投物防止フェンス等のフェンスに兼用するため投物防止フェンスなどのフェンスには十二分の性能が得られる。
　【００１４】
　また、本発明フェンス一体型の防護柵はフェンスパネルの外周にフェンス枠が取付けられそのフェンス枠の厚みに対応した間隔
に正面フランジと背面フランジとを備えるとともにその下部において正面フランジと背面フランジとの間に中間フランジが形成された防護柵とフェンスとに兼用する
上部の正面フランジと背面フランジとの間および下部の背面フランジと中間フランジとの間の
【図面の簡単な説明】
　【図１】
　本発明フェンス一体型の防護柵の１実施例を示す正面図である。
　【図２】
　図１の垂直断面図である。
　【図３】
　図１の支柱回りの水平断面図である。
　【図４】
従来のフェンスと防護柵の１実施例を示す垂直断面図である。
　【符号の説明】
１　　支柱
１１　正面フランジ
１２　背面フランジ
１３　中間フランジ
１４　ビーム取付部
１５　底部フランジ
２　　地覆
３　　アンカーボルト
４　　手摺
５　　橋梁用防護柵パネル
５１　上側水平ビーム
５２　下側水平ビーム
５３　垂直ビーム
６　　フェンス
６１　フェンスパネル
６２　フェンス枠
７　　バネ